(57)【要約】【課題】  微細気泡を大量に発生させることができる技術を提供する。【解決手段】  微細気泡発生ノズルは、空気が水に溶解している空気溶解加圧水が流入する流入口と、流入口から流入する空気溶解加圧水の圧力を減圧する減圧部を有するノズル本体と、ノズル本体よりも下流側に設けられている第１衝突室であって、減圧部から流入する空気溶解加圧水が衝突することによって空気溶解加圧水の流路の向きを変更させる第１衝突壁を備える、第１の衝突室と、第１衝突室よりも下流側に設けられている第２衝突室であって、第１衝突室を通過した空気溶解加圧水が衝突することによって空気溶解加圧水の流路の向きを変更させる第２衝突壁を備え、第２衝突室の容積は、第１衝突室の容積より大きい、第２衝突室と、第２衝突室を通過した水を流出箇所に流出する流出口と、を備える。【選択図】図２
2020054987.tif 000002
【特許請求の範囲】
【請求項１】
微細気泡発生ノズルであって、
空気が水に溶解している空気溶解加圧水が流入する流入口と、
前記流入口から流入する空気溶解加圧水の圧力を減圧する減圧部を有するノズル本体と、
前記ノズル本体よりも下流側に設けられている第１衝突室であって、前記減圧部から流入する空気溶解加圧水が衝突することによって空気溶解加圧水の流路の向きを変更させる第１衝突壁を備える、前記第１衝突室と、
前記第１衝突室よりも下流側に設けられている第２衝突室であって、前記第１衝突室を通過した空気溶解加圧水が衝突することによって空気溶解加圧水の流路の向きを変更させる第２衝突壁を備え、前記第２衝突室の容積は、前記第１衝突室の容積より大きい、前記第２衝突室と、
前記第２衝突室を通過した水を流出箇所に流出する流出口と、を備える、微細気泡発生ノズル。
【請求項２】
前記第１衝突壁の空気溶解加圧水が衝突する面に凹凸が設けられている、請求項１に記載の微細気泡発生ノズル。
【請求項３】
前記減圧部の中心軸が、前記第１衝突壁に対して傾斜している、請求項１又は２に記載の微細気泡発生ノズル。
【請求項４】
微細気泡発生ノズルであって、
気体が水に溶解している気体溶解加圧水が流入する流入口と、
前記流入口から流入する気体溶解加圧水の圧力を減圧する減圧部を有するノズル本体と、
前記ノズル本体よりも下流側に設けられている第１衝突室であって、前記減圧部から流入する気体溶解加圧水が衝突することによって気体溶解加圧水の流路の向きを変更させる第１衝突壁を備える、前記第１衝突室と、
前記第１衝突室よりも下流側に設けられている第２衝突室であって、前記第１衝突室を通過した気体溶解加圧水が衝突することによって気体溶解加圧水の流路の向きを変更させる第２衝突壁を備え、前記第２衝突室の容積は、前記第１衝突室の容積より大きい、前記第２衝突室と、
前記第２衝突室を通過した水を流出箇所に流出する流出口と、を備える、微細気泡発生ノズル。
【発明の詳細な説明】
【技術分野】
【０００１】
本明細書で開示する技術は、微細気泡発生ノズルに関する。
【背景技術】
【０００２】
特許文献１には、空気が水に溶解している空気溶解加圧水が流入する流入口と、流入口から流入する空気溶解加圧水の圧力を減圧する減圧部と、減圧部を通過した空気溶解加圧水を流出箇所に流出する流出口と、を備える微細気泡発生ノズルが開示されている。
【先行技術文献】
【特許文献】
【０００３】
【特許文献１】特開２００７−１６７５５７号公報
【発明の概要】
【発明が解決しようとする課題】
【０００４】
特許文献１の微細気泡発生ノズルにおいて、空気溶解加圧水は、減圧部を通過することによって、大気圧まで徐々に減圧される。空気溶解加圧水が大気圧まで減圧される過程において、水に溶解されている空気が析出し、微細気泡が発生する。しかしながら、上述の微細気泡発生ノズルでは、流出箇所における微細気泡の量が不十分であるという状況が発生する。
【０００５】
本明細書では、微細気泡を大量に発生させることができる技術を提供する。
【課題を解決するための手段】
【０００６】
本明細書によって開示される微細気泡発生ノズルは、空気が水に溶解している空気溶解加圧水が流入する流入口と、前記流入口から流入する空気溶解加圧水を大気圧よりも低い圧力に減圧する減圧部を備えるノズル本体と、前記ノズル本体よりも下流側に設けられている第１衝突室であって、前記減圧部から流入する空気溶解加圧水が衝突することによって空気溶解加圧水の流路の向きを変更させる第１衝突壁を備える、前記第１衝突室と、前記第１衝突室よりも下流側に設けられている第２衝突室であって、前記第１衝突室を通過した空気溶解加圧水が衝突することによって空気溶解加圧水の流路の向きを変更させる第２衝突壁を備え、前記第２衝突室の容積は、前記第１衝突室の容積より大きい、前記第２衝突室と、前記第２衝突室を通過した水を流出箇所に流出する流出口と、を備える。
【０００７】
上記の構成によると、ノズル本体の減圧部を通過して減圧された空気溶解加圧水の圧力は、第１衝突室に流入することによって、第１圧力に増圧された後、第２衝突室に流入する。第２衝突室の容積は、第１衝突室の容積より大きいために、第２衝突室に流入する空気溶解加圧水の流速が遅くなり、この結果、空気溶解加圧水の圧力が第１圧力よりも高い第２圧力に増圧される。なお、第１圧力及び第２圧力は大気圧よりも低い。その後、空気溶解加圧水が流出箇所に流出されると、空気溶解加圧水は、大気圧まで増圧される。即ち、減圧部で減圧された空気溶解加圧水は、大気圧まで徐々に増圧される。まず、空気溶解加圧水が大気圧よりも低い圧力に減圧されることによって、空気溶解加圧水内に、比較的に大きな気泡（以下では、単に「気泡」と呼ぶ）が生成される。そして、空気溶解加圧水の圧力が第１圧力に増圧されることによって、空気溶解加圧水内の気泡の一部が、分裂して微細気泡になる。そして、空気溶解加圧水の圧力が第２圧力まで増圧されると、第１衝突室を通過した空気溶解加圧水内に残存している気泡の一部が、分裂して微細気泡になる。そして、空気溶解加圧水の圧力が大気圧まで増圧されると、第２衝突室を通過した空気溶解加圧水内に残存している気泡の一部が、分裂して微細気泡になる。従って、微細気泡発生ノズル内において、微細気泡に分裂する気泡の量を多くすることができ、流出箇所で発生する微細気泡の量を多くすることができる。
【０００８】
また、ノズル本体の減圧部を通過することによって形成される気泡は、第１衝突室の第１衝突壁、及び、第２衝突室の第２衝突壁に衝突することによって、より小さな気泡に分裂し得る。従って、流出箇所で発生する微細気泡の量をより多くすることができる。
【０００９】
上記の微細気泡発生ノズルにおいて、第１衝突壁の空気溶解加圧水が衝突する面に凹凸が設けられていてもよい。
【００１０】
ノズル本体の減圧部を通過して、第１衝突室に流入する空気溶解加圧水の流速は、比較的に速い。このため、空気溶解加圧水が第１衝突壁に衝突することによって、音が発生し得る。上記の構成によると、第１衝突壁に設けられている凹凸によって、空気溶解加圧水が第１衝突壁に衝突するときの衝撃が緩和される。従って、微細気泡発生ノズルを使用中に発生する音を抑制することができる。なお、第１衝突壁の空気溶解加圧水が衝突する面の凹凸は、複数個の凹部、複数個の凸部、複数の貫通孔などであってもよい。
【００１１】
上記の微細気泡発生ノズルにおいて、減圧部の中心軸が、第１衝突壁に対して傾斜していてもよい。
【００１２】
上記の構成によると、減圧部の中心軸が第１衝突壁に対して傾斜していることによって、減圧部を通過する空気溶解加圧水は、第１衝突壁に対して傾斜している状態で衝突する。この場合、第１衝突壁に衝突した後の空気溶解加圧水が、旋回流になり得る。これにより、第１衝突室の通過後において、空気溶解加圧水が撹拌され、空気溶解加圧水内の気泡が微細気泡に分裂することが促進される。従って、流出箇所で発生する微細気泡の量をより多くすることができる。
【００１３】
本明細書によって開示される微細気泡発生ノズルは、気体が水に溶解している気体溶解加圧水が流入する流入口と、前記流入口から流入する気体溶解加圧水の圧力を減圧する減圧部を有するノズル本体と、前記ノズル本体よりも下流側に設けられている第１衝突室であって、前記減圧部から流入する気体溶解加圧水が衝突することによって気体溶解加圧水の流路の向きを変更させる第１衝突壁を備える、前記第１衝突室と、前記第１衝突室よりも下流側に設けられている第２衝突室であって、前記第１衝突室を通過した気体溶解加圧水が衝突することによって気体溶解加圧水の流路の向きを変更させる第２衝突壁を備え、前記第２衝突室の容積は、前記第１衝突室の容積より大きい、前記第２衝突室と、前記第２衝突室を通過した水を流出箇所に流出する流出口と、を備える。
【００１４】
上記の構成によると、ノズル本体の減圧部を通過して減圧された気体溶解加圧水の圧力は、第１衝突室に流入することによって、第１圧力に増圧された後、第２衝突室に流入する。第２衝突室の容積は、第１衝突室の容積より大きいために、第２衝突室に流入する気体溶解加圧水の流速が遅くなり、この結果、気体溶解加圧水の圧力が第１圧力よりも高い第２圧力に増圧される。なお、第１圧力及び第２圧力は大気圧よりも低い。その後、気体溶解加圧水が流出箇所に流出されると、気体溶解加圧水は、大気圧まで増圧される。即ち、減圧部で減圧された気体溶解加圧水は、大気圧まで徐々に増圧される。まず、気体溶解加圧水が大気圧よりも低い圧力に減圧されることによって、気体溶解加圧水内に、比較的に大きな気泡（以下では、単に「気泡」と呼ぶ）が生成される。そして、気体溶解加圧水の圧力が第１圧力に増圧されることによって、気体溶解加圧水内の気泡の一部が、分裂して微細気泡になる。そして、気体溶解加圧水の圧力が第２圧力まで増圧されると、第１衝突室を通過した気体溶解加圧水内に残存している気泡の一部が、分裂して微細気泡になる。そして、気体溶解加圧水の圧力が大気圧まで増圧されると、第２衝突室を通過した気体溶解加圧水内に残存している気泡の一部が、分裂して微細気泡になる。従って、微細気泡発生ノズル内において、微細気泡に分裂する気泡の量を多くすることができ、流出箇所で発生する微細気泡の量を多くすることができる。
【００１５】
また、ノズル本体の減圧部を通過することによって形成される気泡は、第１衝突室の第１衝突壁、及び、第２衝突室の第２衝突壁に衝突することによって、より小さな気泡に分裂し得る。従って、流出箇所で発生する微細気泡の量をより多くすることができる。
【図面の簡単な説明】
【００１６】
【図１】本実施例に係る微細気泡発生ノズル１０の斜視図である。
【図２】図１のII-II線に沿った微細気泡発生ノズル１０の断面図である。
【図３】本実施例に係るノズル本体２０の斜視図である。
【図４】本実施例に係るホルダ部４０の斜視図及び後面図である。
【図５】微細気泡発生ノズル１０に流入する空気溶解加圧水の圧力を示す図である。
【図６】第１変形例に係るノズル本体１２０の斜視図及び後面図である。
【図７】第２変形例に係るホルダ部２４０の後面図である。
【図８】第３変形例に係るノズル本体３２０の左側面図及び後面図である。
【発明を実施するための形態】
【００１７】
（微細気泡発生ノズル１０の構成）
図１〜図４を参照して、微細気泡発生ノズル１０について説明する。微細気泡発生ノズル１０は、浴槽（図示省略）等の流出箇所に微細気泡を発生させるためのノズルである。図１に示すように、微細気泡発生ノズル１０は、ノズル本体２０と、ホルダ部４０と、を備える。図１、図２において、ノズル本体２０は、ホルダ部４０に支持されている。
【００１８】
（ノズル本体２０の構成）
図１〜図３を参照して、ノズル本体２０の構成について説明する。なお、以下では、図２の微細気泡発生ノズル１０の中心軸Ｃ１に平行なＸ軸方向を前後方向といい、Ｘ軸方向に直交するＺ軸方向を上下方向といい、Ｘ軸及びＺ軸に直交するＹ方向を左右方向という。図３に示すように、ノズル本体２０は、円筒部２２と、円板部２４と、円柱部２６と、を備える。円筒部２２には、流入口２２ａが設けられている。円筒部２２には、空気が水に溶解している空気溶解加圧水を微細気泡発生ノズル１０に供給するための給水管（図示省略）が接続される。円板部２４は、円筒部２２と円柱部２６との間に設けられている。図２に示すように、円板部２４の外径は、円柱部２６の外径よりも大きい。円柱部２６の外径は、円筒部２２の外径よりも小さい。ノズル本体２０は、さらに、２個の減圧部２８を備えている。減圧部２８は、円筒部２２、円板部２４、及び、円柱部２６を貫通している。減圧部２８は、噴出口２８ａを有する。減圧部２８における水路の断面積は、流入口２２ａの水路の断面積よりも小さい。本実施例では、減圧部２８を通過した後の空気溶解加圧水の圧力が、大気圧よりも低い圧力になるように、減圧部２８の水路の断面積が設定されている。なお、減圧部２８の中心軸Ｃ２は、中心軸Ｃ１に対して平行であり、後述するホルダ部４０の円板部４６に対して直交する。
【００１９】
（ホルダ部４０の構成）
続いて、図１、図２、図４を参照して、ホルダ部４０の構成について説明する。なお、図４（ａ）は、ホルダ部４０の斜視図であり、図４（ｂ）はホルダ部４０を後方から見た後面図である。図４（ａ）に示すように、ホルダ部４０は、外側円筒部４２と、２個の連結部５２と、を備える。図２に示すように、外側円筒部４２は、第１円筒部４２ａと、第２円筒部４２ｂと、で構成される。第１円筒部４２ａの外径と第２円筒部４２ｂの外径は一致する。第２円筒部４２ｂの内径は、ノズル本体２０の円板部２４の外径と略一致する（図２参照）。第２円筒部４２ｂの内径は、第１円筒部４２ａの内径よりも大きく、第１円筒部４２ａと第２円筒部４２ｂとの間には、段差が設けられている。
【００２０】
図４（ａ）に示すように、連結部５２は、外側円筒部４２の外周面から外側に突出している。連結部５２には、ネジ穴Ｂが設けられている。連結部５２のネジ穴Ｂは、ホルダ部４０を浴槽接続具（図示省略）に取付けるためのネジ穴である。なお、浴槽接続具は、微細気泡発生ノズル１０を浴槽に取付けるための器具である。ホルダ部４０内に、ノズル本体２０を挿入した後に、浴槽接続具の取付穴（図示省略）と連結部５２のネジ穴Ｂを位置合わせし、ネジ部材（図示省略）をネジ穴Ｂに螺合させることで、微細気泡発生ノズル１０と浴槽接続具が連結される。
【００２１】
また、図２、図４（ｂ）に示すように、外側円筒部４２の内側には、内側円筒部４４と、円板部４６と、が設けられている。円板部４６は、４個の接続部４８を介して、外側円筒部４２に接続されている。図２に示すように、内側円筒部４４は、円板部４６の後端４６ａから後方に延びている。内側円筒部４４の外径は、円板部４６の外径と一致する。内側円筒部４４の外径は、外側円筒部４２の内径よりも小さい。即ち、内側円筒部４４と外側円筒部４２との間には、隙間が設けられている。内側円筒部４４と外側円筒部４２との間の隙間によって４個の流出口５０が形成される。内側円筒部４４の内径は、ノズル本体２０の円柱部２６の外径よりも大きい。即ち、内側円筒部４４と円柱部２６との間には、隙間が設けられている。内側円筒部４４の後端４４ａは、ノズル本体２０の円板部２４の前端２４ａと、円柱部２６の前端２６ａとの間に位置する。
【００２２】
また、図２に示すように、ノズル本体２０がホルダ部４０に支持されている状態において、ホルダ部４０内には、第１衝突室６０と、第１水路６２と、第２衝突室６４と、第２水路６６と、が形成される。第１衝突室６０は、円板部４６の後端４６ａとノズル本体２０の円柱部２６の前端２６ａとの間の領域であり、円板部４６及び内側円筒部４４によって画定される。第１衝突室６０は、外径ｄ１（内側円筒部４４の内径）、及び、幅Ｗ１を有する領域である。第１衝突室６０の容積Ｖ１は、以下の式（１）によって算出される。
【００２３】
【数１】
2020054987.tif 000003
【００２４】
第１水路６２は、第１衝突室６０と第２衝突室６４とを接続する水路である。第１水路６２は、内側円筒部４４と円柱部２６との間の隙間によって形成される。
【００２５】
第２衝突室６４は、内側円筒部４４の後端４４ａと円板部２４の前端２４ａとの間の領域であり、外側円筒部４２、円板部２４、及び、円柱部２６によって画定される。第２衝突室６４は、内径ｄ２（円柱部２６の外径）、外径ｄ３（第１円筒部４２ａの内径）、及び、幅Ｗ２を有する領域である。第２衝突室６４の容積Ｖ２は、以下の式（２）によって算出される。なお、第２衝突室６４の容積Ｖ２は、第１衝突室６０の容積Ｖ１よりも大きい。
【００２６】
【数２】
2020054987.tif 000004
【００２７】
第２水路６６は、第２衝突室６４と流出口５０とを接続する水路である。第２水路６６は、外側円筒部４２と内側円筒部４４との間の隙間によって形成される。
【００２８】
続いて、図２、図５を参照して、微細気泡発生ノズル１０内を空気溶解加圧水が流れる水路、及び、空気溶解加圧水が微細気泡発生ノズル１０内を流れているときの空気溶解加圧水の圧力について説明する。なお、図２において、実線矢印は水の流路を示す。
【００２９】
まず、ノズル本体２０の流入口２２ａを介して、空気溶解加圧水が微細気泡発生ノズル１０に流入する。この時点における空気溶解加圧水の圧力Ｖａは、大気圧よりも大きい（図５（ａ）参照）。そして、空気溶解加圧水は、減圧部２８に流入する。空気溶解加圧水が減圧部２８を通過することによって、空気溶解加圧水の流速が速くなり、この結果、空気溶解加圧水の圧力が大気圧よりも低い圧力Ｖｂまで減圧される（図５（ｂ）参照）。なお、この時点において、空気溶解加圧水内に気泡が生成される。
【００３０】
次いで、空気溶解加圧水は、噴出口２８ａを介して、ホルダ部４０の第１衝突室６０内に噴出される。空気溶解加圧水が第１衝突室６０に噴出されることによって、空気溶解加圧水の流速が遅くなり、この結果、空気溶解加圧水の圧力が圧力Ｖｃまで増圧される（図５（ｃ）参照）。空気溶解加圧水の圧力が圧力Ｖｃまで増圧されることによって、空気溶解加圧水内の気泡が収縮する。そして、空気溶解加圧水内の気泡の一部は、分裂して微細気泡になる。また、空気溶解加圧水内の気泡の一部は、空気溶解加圧水が円板部４６に衝突することによって、より小さな気泡に分裂する。
【００３１】
次いで、円板部４６に衝突した空気溶解加圧水は、第１水路６２を通って、第２衝突室６４に流入する。上述のように、第２衝突室６４の容積Ｖ２は、第１衝突室６０の容積Ｖ１よりも大きい。このため、第２衝突室６４に流入した空気溶解加圧水の流速が遅くなり、この結果、空気溶解加圧水の圧力が圧力Ｖｃよりも大きい圧力Ｖｄまで増圧される（図５（ｄ）参照）。これにより、第１衝突室６０を通過した空気溶解加圧水内に残存している気泡が収縮し、気泡の一部が分裂して微細気泡になる。また、空気溶解加圧水内の気泡の一部は、空気溶解加圧水がノズル本体２０の円板部２４に衝突することによって、より小さな気泡に分裂する。
【００３２】
次いで、円板部２４に衝突した空気溶解加圧水は、第２水路６６及びホルダ部４０の流出口５０を通って、浴槽等の流出箇所に流出する。空気溶解加圧水の圧力は、流出箇所において、大気圧まで増圧される（図５（ｅ）参照）。これにより、第２衝突室６４を通過した空気溶解加圧水内に残存している気泡が収縮し、気泡の一部が分裂して微細気泡になる。なお、流出箇所に流出する空気溶解加圧水には、第１衝突室６０及び第２衝突室６４で生成された微細気泡も含まれる。これにより、流出箇所に大量の微細気泡が発生する。
【００３３】
上述のように、ノズル本体２０の減圧部２８を通過して減圧された空気溶解加圧水は、第１衝突室６０に流入することによって、圧力Ｖｃまで増圧される（図５（ｃ）参照）。また、第２衝突室６４の容積Ｖ２が、第１衝突室６０の容積Ｖ１より大きいために、第２衝突室６４に流入する空気溶解加圧水の流速が遅くなり、この結果、空気溶解加圧水の圧力が圧力Ｖｃよりも圧力Ｖｄに増圧される（図５（ｄ）参照）。その後、空気溶解加圧水が流出箇所に流出されると、空気溶解加圧水は、大気圧まで増圧される（図５（ｅ）参照）。即ち、減圧部２８で減圧された空気溶解加圧水は、大気圧まで徐々に増圧される。まず、空気溶解加圧水が大気圧よりも低い圧力Ｖｂに減圧されることによって、空気溶解加圧水内に、気泡が生成される。そして、空気溶解加圧水の圧力が圧力Ｖｃに増圧されることによって、空気溶解加圧水内の気泡の一部が、分裂して微細気泡になる。そして、空気溶解加圧水の圧力が圧力Ｖｄまで増圧されると、第１衝突室６０を通過した空気溶解加圧水内に残存している気泡の一部が、分裂して微細気泡になる。そして、空気溶解加圧水の圧力が大気圧まで増圧されると、第２衝突室６４を通過した空気溶解加圧水内に残存している気泡の一部が、分裂して微細気泡になる。従って、微細気泡発生ノズル１０内において、微細気泡に分裂する気泡の量を多くすることができ、流出箇所で発生する微細気泡の量を多くすることができる。
【００３４】
また、ノズル本体２０の減圧部２８を通過することによって形成される気泡は、第１衝突室６０の円板部４６、及び、第２衝突室６４の円板部２４に衝突することによって、より小さな気泡に分裂する。従って、流出箇所で発生する微細気泡の量をより多くすることができる。
【００３５】
（対応関係）
ホルダ部４０の円板部４６、ノズル本体２０の円板部２４が、それぞれ、「第１衝突壁」、「第２衝突壁」の一例である。
【００３６】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００３７】
以下の変形例において、実施例と共通する構成については、同様の符号を付して、その説明を省略する。
【００３８】
（第１変形例）ノズル本体２０に設けられる減圧部２８の数は、２個に限定されず、１個でもよいし、３個以上でもよい。例えば、図６（ａ）（ｂ）に示すように、ノズル本体１２０に、６個の減圧部１２８が設けられていてもよい。図６（ｂ）に示すように、本変形例では、６個の減圧部１２８は、同心円状に設けられている。
【００３９】
（第２変形例）図７に示すように、ホルダ部２４０の円板部２４６に、複数個の孔２４６ａが設けられていてもよい。ノズル本体２０の減圧部２８を通過して、第１衝突室６０に流入する空気溶解加圧水の流速は、比較的に速い。本変形例では、第１衝突室６０の円板部２４６に設けられている複数の孔２４６ａによって、空気溶解加圧水が円板部２４６に衝突するときの衝撃が緩和される。従って、微細気泡発生ノズル１０を使用中に発生する音を抑制することができる。本変形例では、複数個の孔２４６ａが「凹凸」の一例である。なお、別の変形例では。円板部２４６に、複数個の凹部、複数個の凸部などが設けられていてもよい。
【００４０】
（第３変形例）図８（ａ）、（ｂ）に示すように、ノズル本体３２０の減圧部３２８の中心軸Ｃ３２が円板部４６に対して傾斜していてもよい。なお、図８（ａ）は、ノズル本体３２０を左方から見た左側面図であり、図８（ｂ）は、ノズル本体３２０を後方から見た後面図である。本変形例では、減圧部３２８の中心軸Ｃ３２が円板部４６に対して傾斜している。このため、噴出口３２８ａを介して、ホルダ部４０の第１衝突室６０内に噴出される空気溶解加圧水は、円板部４６に対して傾斜している状態で円板部４６に衝突する。この場合、円板部４６に衝突した後の空気溶解加圧水が、旋回流になり得る。これにより、第１衝突室６０を通過した後において、空気溶解加圧水が撹拌され、空気溶解加圧水内の気泡が微細気泡に分裂することが促進される。従って、流出箇所で発生する微細気泡の量をより多くすることができる。
【００４１】
（第４変形例）上記の実施例では、微細気泡発生ノズル１０に、空気溶解加圧水が流入する。変形例では、空気溶解加圧水に代えて、気体が溶解している気体溶解加圧水が微細気泡発生ノズル１０に流入してもよい。このような構成によると、気体溶解加圧水が微細気泡発生ノズル１０を通過することによって、流出箇所で発生する微細気泡の量を多くすることができる。気体は、例えば、炭酸ガス、酸素、水素等である。
【００４２】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４３】
１０      ：微細気泡発生ノズル
２０      ：ノズル本体
２２      ：円筒部
２２ａ    ：流入口
２４      ：円板部
２６      ：円柱部
２８      ：減圧部
２８ａ    ：噴出口
４０      ：ホルダ部
４２      ：外側円筒部
４２ａ    ：第１円筒部
４２ｂ    ：第２円筒部
４４      ：内側円筒部
４６      ：円板部
４８      ：接続部
５０      ：流出口
５２      ：連結部
６０      ：第１衝突室
６２      ：第１水路
６４      ：第２衝突室
６６      ：第２水路
Ｂ        ：ネジ穴
【図１】
2020054987.tif 000005
【図２】
2020054987.tif 000006
【図３】
2020054987.tif 000007
【図４】
2020054987.tif 000008
【図５】
2020054987.tif 000009
【図６】
2020054987.tif 000010
【図７】
2020054987.tif 000011
【図８】
2020054987.tif 000012